(57)【要約】【課題】  遊技場店内における特殊景品の交換作業を間違いなくスムーズに行うことが出来、特殊景品の在庫管理、発注管理も容易とする。【解決手段】  特殊景品管理部３２が、遊技場において特殊景品を引き渡す際、特殊景品交換所で換金する際に、情報記録部３１によりＩＣタグ３０に記録された情報を読み取り、特殊景品の在庫管理もしくは特殊景品としての正当性の管理を行う。特殊景品管理部３２は、ＩＣタグ３０に記録された特殊景品識別情報をキーに、あらかじめ保持している商品在庫情報を参照して特殊景品の受け入れと払い出しを管理する。また、特殊景品交換所でＩＣタグ３０に記録された遊技場の店番号、もしくは換金の有無情報を読み取り、換金の正当性の管理も行う。【選択図】      図３
2005087475.tif 000002
【特許請求の範囲】
【請求項１】
遊技場と特殊景品交換所との間における特殊景品の流通を管理する特殊景品管理システムであって、
前記特殊景品に付与されたＩＣタグに対し、前記特殊景品の流通に応じて更新される情報を記録する情報記録部と、
前記遊技場において前記特殊景品を顧客に引き渡す際、もしくは前記特殊景品交換所で換金する際に、前記ＩＣタグに記録された情報を読み取り、前記特殊景品の在庫管理もしくは特殊景品としての正当性の管理を行う特殊景品管理部と、
を備えたことを特徴とする特殊景品管理システム。
【請求項２】
前記情報記録部は、
前記ＩＣタグに対して遊技場の店番号の他に、特殊景品商品名、換金可能情報、換金の有無を示す情報の少なくとも一つを記録することを特徴とする請求項１に記載の特殊景品管理システム。
【請求項３】
前記特殊景品管理部は、
前記遊技場において、前記ＩＣタグに記録されている特殊景品識別情報をキーに、あらかじめ保持している商品在庫情報を参照して前記特殊景品の受け入れと払い出しを管理することを特徴とする請求項１に記載の特殊景品管理システム。
【請求項４】
前記特殊景品管理部は、
前記特殊景品交換所で前記ＩＣタグに記録された遊技場の店番号、もしくは換金の有無情報を読み取り、換金の正当性の管理を行うことを特徴とする請求項１または２に記載の特殊景品管理システム。
【請求項５】
前記特殊景品に付与されたＩＣタグに記録される情報を、前記遊技場から通知される暗号情報によって暗号化し、前記特殊景品交換所において前記遊技場から通知される復号情報により前記ＩＣタグに記録された情報を解読する暗号処理部と、
を備えたことを特徴とする請求項１に記載の特殊景品管理システム。
【請求項６】
遊技場と特殊景品交換所との間における特殊景品の流通を管理する特殊景品管理方法であって、
前記特殊景品に付与されたＩＣタグに対し、前記流通に応じて更新される情報を記録する過程と、
前記遊技場において前記特殊景品を引き渡す際、もしくは前記特殊景品交換所で換金する際に、前記ＩＣタグに記録された情報を読み取り、前記特殊景品の在庫管理もしくは特殊景品としての正当性の管理を行う過程と、
を有することを特徴とする特殊景品管理方法。
【発明の詳細な説明】
【技術分野】
【０００１】
本発明は、パチンコ店等の遊技場と特殊景品交換所との間において、顧客との間で交換される特殊景品の流通を管理する用途に用いて好適な、特殊景品管理システムおよびその方法に関する。
【背景技術】
【０００２】
昭和６０年（１９８５年）に改正された新風俗営業法等の規制および業務の適正化等に関する法律（以下、風営法／風俗適正化法という）第２３条に、遊技場営業者の禁止行為として、現金または有価証券を商品として提供すること、ならびに客に提供した商品を買い取ることが禁止されている。
このため、遊技場、例えば、バチンコ店のホールでは、店内の景品交換カウンターにてホール側の店員が顧客の差し出すレシートや磁気カード等の出玉情報から、一般景品や特殊景品を顧客に渡している。
【０００３】
図１１に、卸売り業（景品問屋）と遊技場（パチンコ店ホール）と買取り業（以下、特殊景品交換所という）の三店によって運営されている特殊景品の流通形態が示されている（以下、三店方式という）。
図１１に示されるように、遊技場２の店外に設置された特殊景品交換所３では、顧客から特殊景品を買取り、それに見合う現金を渡している（例えば、重さで換金額を換算）。また、卸売り業１は、店外にある特殊景品交換所３から特殊景品を購入し、その特殊景品を遊技場２毎に分別し、遊技場２に卸している。
図１２は、上記した三店方式に従い構築される特殊景品管理システムに基づき、顧客が遊技場２内で、出玉を特殊景品と交換し、特殊景品交換所３で現金化するまでの流れが示されている。なお、顧客は、現金化することなく磁気カード会員証等を用いて貯玉することも可能である。
【０００４】
ところで、景品が、卸売り業１（ここでは商社）、遊技場２、特殊景品交換所３の三店を正規に流通したことを識別するために、特殊景品に通過データを記録し、各店でその情報を読み取って正規特殊景品であることを識別することのできる、景品の流通管理方法が出願されている（例えば、特許文献１参照）。
【特許文献１】特開２００１−２２４８３１号公報（段落０００８〜００１３、図１）
【発明の開示】
【発明が解決しようとする課題】
【０００５】
従来、上記した卸売り業１、遊技場２、特殊景品交換所３の三店方式による特殊景品管理システムによれば、それぞれの店毎で、以下に列挙する問題があった。
（１）遊技場２内の景品交換カウンターでは、顧客の差し出すレシートや会員証（磁気カード等）の出玉情報から交換可能な一般商品、あるいは換金可能な特殊景品を顧客に渡すが、ここではミスが許されないことから、確認作業に手間取って顧客を待たせることが多く、サービスの悪化に繁がっている。
（２）一部遊技場２では、特殊景品の自動交換システムも導入されているが、機械式であり、従って特殊景品の形状に対応させるために余分なコストを要する。また、遊技場２における従来の特殊景品の在庫管理は目算で行われていたため、関係者が気付かなければ、店内の景品交換所で混乱をきたす。更に、出玉と景品交換状況は毎日厳しくチェックされているが、手間がかかりそのためのホール係員の負担が大きかった。
【０００６】
（３）多くの店外にある特殊景品交換所３では、特殊景品を買い取る際、価値の異なる特殊景品（例えば、大２０００円、中１０００円、小５００円）があることから確認作業に手間取り、換金間違いも発生していた。また、特殊景品としての正規品と盗難品の判断がつかず、誤って換金してしまうこともあり、この場合の容疑者の逮捕に結びつくための証拠を保持することができなかった。
更に、特殊景品の運搬中に強奪されたり、店内で盗難に遭った場合、特殊景品交換所３では、正規の特殊景品で有るか否かの判別がつかないため換金に応じるしかなく、不正があっても容疑者の逮捕が難しくなっている。また、上記した風営法／風俗適正化法２３条の規定を重視するあまり、特殊景品の一括管理がされていない。盗難を考えた場合、早期に容疑者逮捕や犯罪の未然防止のためには特殊景品の一括管理を行う必要がある。
（４）卸売り業１では、特殊景品交換所３から特殊景品を購入し、商品を遊技場２毎に分別するために時間を要し、また、換算確認のための時間も無視できず、間違いも発生していた。
【０００７】
上記した特許文献１に開示された技術によれば、正規の流通ルートから外れた景品を、盗難、偽造、変造等による不正な景品の持込みから防禦するだけの技術であって、上記した諸々の問題を有する、卸売り業１、遊技場２、特殊景品交換所３各所の業務負担を改善するまでには至っていない。
本発明は上記諸々の事情に鑑みてなされたものであり、遊技場２店内における特殊景品の交換作業を間違いなくスムーズに行うことができ、特殊景品の在庫管理、発注管理も容易な、特殊景品管理システムおよびその方法を提供することを目的とする。
また、特殊景品交換所３では、特殊景品の盗難や不正に対する対応が可能であり、かつ、その場合の容疑者逮捕のためのエビデンス作りにも対応可能な、特殊景品管理システムおよびその方法を提供することも目的とする。更には、上記した卸売り業１、遊技場２、特殊景品交換所３の店舗それぞれにおいて特殊景品管理のための係員の負担を軽減することのできる、特殊景品管理システムおよびその方法を提供することも目的とする。
【課題を解決するための手段】
【０００８】
上記した課題を解決するために本発明は、遊技場と特殊景品交換所との間における特殊景品の流通を管理する特殊景品管理システムであって、前記特殊景品に付与されたＩＣタグに対し、前記流通に応じて更新される情報を記録する情報記録部と、前記遊技場において顧客に前記特殊景品を引き渡す際、もしくは前記特殊景品交換所で換金する際に、前記ＩＣタグに記録された情報を読み取り、前記特殊景品の在庫管理もしくは特殊景品としての正当性の管理を行う特殊景品管理部と、を備えたことを特徴とする。
【０００９】
また、本発明において、前記情報記録部は、前記ＩＣタグに対し、前記流通に応じ、遊技場の店番号の他に、特殊景品商品名、換金可能情報、換金の有無を示す情報の少なくとも一つを記録することを特徴とする。
【００１０】
また、本発明において、前記特殊景品管理部は、前記遊技場において、前記ＩＣタグに記録された特殊景品識別情報をキーに、あらかじめ保持している商品在庫情報を参照して前記特殊景品の受け入れと払い出しを管理することを特徴とする。
【００１１】
また、本発明において、前記特殊景品管理部は、前記特殊景品交換所で前記ＩＣタグに記録された遊技場の店番号、もしくは換金の有無情報を読み取り、換金の正当性の管理を行うことを特徴とする。
【００１２】
また、本発明において、前記特殊景品に付与されたＩＣタグに記録される情報を、前記遊技場から通知される暗号情報によって暗号化し、前記特殊景品交換所において前記遊技場から通知される復号情報により前記ＩＣタグに記録された情報を解読する暗号処理部と、を備えたことを特徴とする。
【００１３】
上記した課題を解決するために本発明は、遊技場と特殊景品交換所との間における特殊景品の流通を管理する特殊景品管理方法であって、前記特殊景品に付与されたＩＣタグに対し、前記流通に応じて更新される情報を記録する過程と、前記遊技場において顧客に前記特殊景品を引き渡す際、前記特殊景品交換所で換金する際に、前記ＩＣタグに記録された情報を読み取り、前記特殊景品の在庫管理もしくは特殊景品としての正当性の管理を行う過程と、を有することを特徴とする。
【発明の効果】
【００１４】
本発明によれば、特殊景品管理部が、遊技場において顧客に特殊景品を引き渡す際、もしくは特殊景品交換所で換金する際に、情報記録部によりＩＣタグに記録された情報を読み取り、特殊景品の在庫管理もしくは特殊景品としての正当性の管理を行うことで、遊技場店内における特殊景品の交換作業を間違いなくスムーズに行うものであり、このことにより、特殊景品の在庫管理、発注管理も容易になり、係員の負担を軽減することができる。
また、本発明によれば、特殊景品管理部は、ＩＣタグに記録された遊技場の店番号によりどの遊技場で交換した特殊景品か、また、換金可能情報により特殊景品が正規のものであるか、更には換金の有無情報により換金の有効性のそれぞれを判定することができる。
更に、本発明によれば、特殊景品管理部が、ＩＣタグに記録された特殊景品識別情報をキーに商品在庫情報を検索することで、特殊景品の受け入れと払い出しを管理することができ、在庫管理のための作業効率が改善され、遊技場店内における特殊景品の交換作業を間違いなくスムーズに行うことができる。
【００１５】
また、本発明によれば、特殊景品管理部が、特殊景品交換所で特殊景品に貼付されたＩＣタグに記録される遊技場の店番号、もしくは換金の有無情報を読み取ることで、特殊景品の盗難や不正に対する対応が可能であり、かつ、特殊景品交換所では、不正が発見されたときにビデオ撮影等を開始することで容疑者逮捕のためのエビデンス作りにも対応が可能となる。
更に本発明によれば、暗号処理部が、ＩＣタグに記録される情報を遊技場から通知される暗号情報によって暗号化し、同じく特殊景品交換所において遊技場から通知される復号情報により記録された情報を解読することで、一層のセキュティ効果が高まり、不正から防禦できる。但し、これを実現するには関係部門が連携して特殊景品の一括管理を行う必要があるため、上記した風営法／風俗適正化法２３条の改正が必要となる。
【発明を実施するための最良の形態】
【００１６】
図１は、本発明の特殊景品管理方法を実現するビジネスモデル（三店方式)、ならびにその利用主体間の流通形態を説明するために引用した図である。
図１において、符号１は卸売り業、符号２は遊技場、符号３は特殊景品交換所、符号４は顧客、符号５は警備会社、符号６は警察である。
概略、特殊景品の流れを説明すれば以下のようになる。まず、卸売り業１は、特殊景品にＩＣタグを貼付して発注を受けた遊技場２へ納入する。なお、ここで使用されるＩＣタグは、接触型、非接触型を問わないものとする。また、遊技場２は卸売り業１に対して発注代金を支払い、顧客４の出玉交換要求に応じてそのＩＣタグ付き特殊景品を顧客４に引き渡す。
一方、顧客４は、遊技場２を出て特殊景品交換所３へ出向き、そのＩＣタグ付き特殊景品を換金する。続いて、卸売り業１は、特殊景品交換所３からその換金されたＩＣタグ付き特殊景品を買い取る。
なお、卸売り業１、遊技場２、特殊景品交換所３の各店舗では、それぞれが、後述するＩＣタグＲ／Ｗ（リーダライタ）、およびＰＣ（Personal Computer）から成る本発明の特殊景品管理システムを導入し、運営しており、ＩＣタグ付き特殊景品が出入りする毎、そのＩＣタグをＩＣタグＲ／Ｗで読出し（ｒｅａｄ）／書込み（ｗｒｉｔｅ）することによって特殊景品の流れを管理し、後述する特殊景品の在庫管理、不正発見等を行っている。特に、特殊景品交換所３では、不正を発見した場合、例えば、ビデオ撮影を開始すると共に警備会社５に連絡し、警察６に出動を要請する等の作業を行い、不正に対する対応を行うこととする。
【００１７】
図２は、特殊景品に貼付されるＩＣタグ３０のデータ構造を説明するために引用した図である。ＩＣタグ３０には、特殊景品を識別するための特殊景品ＩＤ（特殊景品識別情報）や卸売り業１のコード等の基本情報を除き、遊技場２を識別するコードである店番、商品名、換金が可能なことを示す換金可能コード、換金の有無を示す換金有無情報（未換金、換金済み）が追記され、それらデータのそれぞれは適当なタイミングで流通先の一つによって記録される。すなわち、店番は、卸売り業１において記録されかつ遊技場２において読み出され、商品名、換金可能コード及び換金有無情報（未換金）は遊技場２において記録されかつ特殊景品交換所３において読み出され、換金有無情報（換金済み）は、特殊景品交換所３で記録されることとする（図中◎印表示）。
なお、図２中、○印はいずれかのデータが記録されている状態、−印はデータが書き込まれていないブランクの状態を示す。
【００１８】
図３は、本発明の特殊景品管理システムの構成を機能展開して示したブロック図であり、実際には上記したＩＣタグリーダライタ（Ｒ／Ｗ）とＰＣで構成され、卸売り業１、遊技場２、特殊景品交換所３のそれぞれに設置される。ここでは、遊技場２に設置される特殊景品管理システム３００が例示されている。
本発明の特殊景品管理システム３００は、情報記録部３１と、特殊景品管理部３２と、商品在庫ＤＢ３３と、暗号処理部３４で構成される。
【００１９】
情報記録部３１は、特殊景品に付与されたＩＣタグ３０に対し、流通に応じて更新される情報を記録する機能を持ち、特殊景品管理部３２は、卸売り業１において特殊景品を遊技場２へ納入する際、遊技場２において顧客４に特殊景品を引き渡す際、また、特殊景品交換所３で顧客４に換金する際に、ＩＣタグ３０に記録された情報を読み取り、特殊景品の在庫管理もしくは特殊景品としての正当性の管理を行う機能を持つ。
また、情報記録部３１は、ＩＣタグ３０に対し、流通形態に応じて遊技場２の店番号の他に、特殊景品商品名、換金可能コード、換金有無情報等を記録する。特殊景品商品名は、大商品・中商品・小商品などの名称、あるいは、換金される金額自体を示す。更に、特殊景品管理部３２は、卸売り業１及び遊技場２において、ＩＣタグ３０に記録された特殊景品ＩＤをキーに、あらかじめ商品在庫ＤＢ３３に保持している商品在庫情報を参照して特殊景品の受け入れと払い出しを管理することができる。また、特殊景品交換所３でＩＣタグ３０に記録された遊技場の店番号、もしくは換金の有無情報を読み取り、換金の正当性の管理を行うことができる。
一方、オプションとして用意される暗号処理部３４は、特殊景品に付与されたＩＣタグ３０に記録される情報を、遊技場２から通知される暗号鍵情報によって暗号化し、特殊景品交換所３において遊技場２から通知される復号鍵情報によりＩＣタグ３０に記録された情報を解読する機能を持つ。
【００２０】
図４は、本発明の特殊景品管理システムの動作を説明するために引用したシーケンス図であり、卸売り業１、遊技場２、特殊景品交換所３のそれぞれに設置された特殊景品管理システムの関係が示されている。
以下、図４に示す動作シーケンス図を参照しながら図３に示す本発明実施形態の動作について詳細に説明する。
【００２１】
まず、卸売り業１は、特殊景品を購入し（Ｓ４０）、購入した特殊景品のそれぞれに対し、ＩＣタグ３０を付与（貼付）する（Ｓ４１）。そして、ＩＣタグ３０内から読み出した特殊景品ＩＤに対応させて入庫したことを示す情報を商品在庫ＤＢ３３に書き込む。その後、遊技場２からの在庫管理に基づく発注を受け（Ｍ１）、納入する特殊景品に付されたＩＣタグ３０に対し、情報記録部３１により納入先の遊技場２の店番号を記録し（Ｓ４２）、出庫する（Ｍ２）。このとき、出庫した特殊景品の特殊景品ＩＤと出庫先の店番号を商品在庫ＤＢ３３へ書き込む。遊技場２は、受け取ったＩＣタグ付き特殊景品に自身の店番号が記録されていることを確認すると、商品在庫ＤＢ３３へ入庫した特殊景品ＩＤを登録し、情報記録部３１により商品名を記録する（Ｓ４３）。
一方、遊技場２では、顧客４の出玉交換要求に応じて店内に展示された商品と交換し、あるいは換金要求（Ｓ４４Ｙｅｓ）に応じてそのＩＣタグ付き特殊景品を顧客４に引き渡す。このとき、遊技場２では、顧客４に引き渡される特殊景品のＩＣタグ３０に、換金可能コード及び換金有無情報（未換金情報）を追記する（Ｓ４５）。
【００２２】
次に、顧客４は、遊技場２を出て特殊景品交換所３へ出向き、そのＩＣタグ付き特殊景品を換金する（Ｍ３）。このとき、特殊景品交換所３では、特殊景品に貼付されたＩＣタグ３０内の特殊景品ＩＤ、商品名、換金可能コード及び換金可能コードを読み取り（Ｓ４６）、換金可（Ｓ４７Ｙｅｓ）の場合はその金額を算出して顧客に換金する。そして、受け取った特殊景品に貼付されたＩＣタグ３０に、換金有無情報、ここでは換金済み情報を追記（Ｓ４８）して卸売り業１にリサイクルのために還流する（Ｍ４）。これをうけて卸売り業１では、ＩＣタグ３０のデータをクリアして他の特殊景品に貼付しリサイクルする。卸売り業１では、特殊景品交換所３から換金済みのＩＣタグ付き特殊景品を買い取る。
なお、特殊景品管理システム３００が換金不可と判断した場合は（Ｓ４７Ｎｏ）、不正な特殊景品であると判断して、例えば、図示しない撮影手段によりビデオ撮影を開始し、同時に、警備会社５に自動で連絡がなされ、容疑が確定した後、警察６に出動を要請する等を行う。換金不可の場合とは、ＩＣタグ３０内の情報が不正であるか、盗難品など予め登録されている不正な特殊景品の特殊景品ＩＤと一致する場合である。
【００２３】
図５に、遊技場２内での特殊景品交換の流れを示す。上記したように、特殊景品のそれぞれにはＩＣタグ３０が貼付されており、店番および商品名（＝換金可能金額）が記録されている。遊技場２係員が顧客４の出玉をジェットカウンタにかけると、その玉数がレシートあるいは磁気カードに印刷あるいは記録され、更には顧客４が所持するＩＣカード会員証に記録される。そしてその玉数が入力されると従来からある機械に特殊景品の種類（大、中、小）とそれぞれの数量が表示され、遊技場２係員は、その表示に従い必要量の特殊景品を揃え、貼付されたＩＣタグ３０を本発明の特殊景品管理システム３００に読み込ませることで、玉数と当該玉数に合う景品を確認することができる。また、特殊景品に貼付されたＩＣタグ３０には上記したように、換金可能商品であることを示す換金可能コード及び換金有無情報（未換金情報）を記録すると共に、在庫情報を更新してその特殊景品を顧客に渡す。
【００２４】
図６に、遊技場２での発注管理の流れが示されている。すなわち、遊技場２の店内景品交換所では、店番が記録された特殊景品付属のＩＣタグ３０を仕入れ（Ｓ６１）、そのＩＣタグ３０に情報記録部３１を介して商品名と換金金額を記録する（Ｓ６２）。なお、商品名が一意に換金金額を示す場合、この換金金額に関する情報は不要である。そしてその内容は商品在庫ＤＢ３３に反映される。
一方、特殊景品管理部３２は、レシートに印刷された内容を読み取り（Ｓ６４）、その結果、玉数と特殊景品の種類と数量を表示する（Ｓ６５）。係員はこの表示内容に従い、特殊景品を用意する。また、特殊景品に貼付されたＩＣタグ３０を読み取ったことにより表示される金額を玉数に換算して表示する（Ｓ６３）。特殊景品管理部３２ではこれらを収集して商品在庫ＤＢ３３を更新し、顧客に引き渡す特殊景品に貼付されたＩＣタグ３０に換金可能コードと、換金金額と、換金有無情報（未換金情報）とを追記する（Ｓ６６）。そして、商品在庫ＤＢ３３に格納された商品在庫と発注基準値（発注を行う際の閾値となる在庫残量）とを比較してその結果を遊技場２の責任者に通知し、発注業務を開始する（Ｓ６８）。なお、交換できない玉数についてはＩＣカード会員証に戻す（Ｓ６７）。
【００２５】
図７に、特殊景品の在庫管理のために遊技場に設置された特殊景品管理システムの構成例を、図８に在庫管理の流れを示す。
図７に示されるように、遊技場２では、特殊景品受け入れ、特殊景品払い出しが管理されているため、遊技場２内のＩＣタグ付き特殊景品をＩＣタグＲ／Ｗ１０で読み込み、ＰＣ２０の表示装置で表示を確認することで在庫確認と紛失確認が可能である。
【００２６】
図８に示されるように、遊技場２では、卸売り業１からＩＣタグが貼付された特殊景品を所定数受け入れ（Ｓ８１）、入庫処理を行う（Ｓ８２）。ここで行われる入庫処理とは、ＩＣタグ３０に商品名を記録することである。そして、特殊景品のＩＣタグ３０から読み出した特殊景品ＩＤと記録した商品名とにより商品在庫ＤＢ３３を更新する。そして、所定の時間に、金庫保管された（Ｓ８３）、あるいは棚に一時保管された（Ｓ８５）ＩＣタグ付き特殊景品からＩＣタグＲ／Ｗ１０を用いて特殊景品ＩＤ及び流通過程の情報を読み取る（Ｓ８４、Ｓ８６）。特殊景品管理部３２は、この読み取った情報と商品在庫ＤＢ３３内の情報とをつき合わせ、棚卸作業と在庫管理を行う（Ｓ８８）。これにより、盗難や紛失を発見することができる。
一方、顧客から交換要求があったときには特殊景品の出庫処理を行う（Ｓ８７）。ここで、出庫処理（Ｓ８７）とは、顧客に引き渡す特殊景品付属のＩＣタグ３０に換金可能コード及び換金有無情報（未換金情報）を追記することである。そして、引き渡した特殊景品のＩＣタグ３０から読み出した特殊景品ＩＤに対応して、引き渡し済みを書き込むことにより、商品在庫ＤＢ３３を更新する。
【００２７】
図９、図１０は、本発明の特殊景品管理システムの応用例を示し、前者は、通常のレシート（磁気カードを含む）により特殊景品の交換を行うケース、後者は、ＩＣカード会員証を用いて特殊景品の交換を行うケースである。これらは、セキュリティを考慮した場合の流れを示す。
図９においては、特殊景品に付与されたＩＣタグ３０に記録される各種情報を、遊技場２の責任者（店長）の端末から通知される暗号鍵によって暗号化し、特殊景品交換所３においても同じく遊技場２の責任者（店長）の端末から通知される復号鍵によりＩＣタグ３０に記録された情報を解読する。また、図１０においては、特殊景品に付与されたＩＣタグ３０に記録される各種情報を、遊技場２の責任者（店長）の端末から通知される暗号鍵によって暗号化し、さらに、ＩＣカード会員証に同じく遊技場２の責任者（店長）の端末から通知される復号鍵を書き込む。特殊景品交換所３においては、ＩＣカード会員証から読み出した復号鍵によりＩＣタグ３０に記録された情報を解読する。
この場合、店長によって通知される暗号鍵による暗号化、および復号鍵による復号化の処理は、図３に示される暗号処理部３４によって実行される。
このことにより、ＩＤタグ３０に記録されるデータのセキュリティ効果が高まり、不正から防禦できる。但し、この方法は、遊技場２と特殊景品交換所３との間の連携が必要となるため、これを実現するには上記した風営法／風俗適正化法２３条の改正が必要となることはいうまでもない。
【００２８】
以下、纏めの意味で、卸売り業１と、遊技場２と、特殊景品交換所３の各所での役割分担について簡単に説明する。
卸売り業１では、上記したように、特殊景品に成り得る商品を購入し、一点毎ＩＣタグ３０を貼付してＩＣタグ３０に基本的な商品情報を記録する。また、還流（特殊景品交換所３から購入）して来たＩＣタグ付き特殊景品に対して、自社の出荷商品であるか否かを貼付されたＩＣタグ３０内から読み出した特殊景品ＩＤあるいは卸売り業１のコードで判断して振り分ける。自社商品であればＩＣタグ３０内から商品情報以外のデータを削除する。また、混入した他社商品は返品する。
【００２９】
また、遊技場２では、ＩＣタグ３０が貼付された特殊景品を入庫処理する際、追記される店番の有無を確認して在庫管理情報を更新する。また、店番の無いＩＣタグ付き特殊景品は返品する。ＩＣタグ３０が貼付された特殊景品は、商品名（金額）別に店員によって景品棚に一時的に並べられる。一方、顧客４は、レシートを遊技場２店内の景品交換所に持込み、本発明の特殊景品管理システムに読込ませると交換可能な特殊景品名とその数量が表示される。店員は、特殊景品名とその数量に従い景品棚から該当する特殊景品を取り寄せ、そのＩＣタグ３０をＩＣタグＲ／Ｗ１０に読ませ、特殊景品と数量を本発明の特殊景品管理システムで確認する。確定すると、ＩＣタグ付き特殊景品に商品名（換金可能金額）を追記し、平行して在庫管理も実施され、在庫が少なくなれば半自動で発注も掛けられる。また、特殊景品情報は、卸売り業１と特殊景品交換所３にも連絡する。
一方、店内で盗難に遭い、あるいは紛失に気が付いた時は、卸売り業１に通知する。紛失特殊景品が発見され、特殊景品交換所３から連絡が入ったら現場に急行し、協力して問題を解決する。
【００３０】
特殊景品交換所３は、卸売り業１から換金不可連絡が入ると、本発明の特殊景品管理システムに対して換金判断情報を登録する。持込まれたＩＣタグ付き特殊景品を、本発明の特殊景品管理システムに近付けると当該システムは、ＩＣタグ情報を読み、換金可能な特殊景品であるか否かを判断し、可能なら換金指示を行う。換金不可と判断された場合は、警備会社５をはじめ、卸売り業１、遊技場２、必要に応じて警察６に自動連絡される。一方では、密かに交換者のビデオ撮影が開始される。ビデオは容疑者の証拠物件となるためここで撮影され、警備会社５、卸売り業１、遊技場２、警察６の関係者が集まって、事の真相を確かめることができる。
換金が終了したＩＣタグ付き特殊景品は、卸売り業１に販売し、現金を得る。換金済み情報は、ＩＣタグ付き特殊景品を発行した遊技場２と卸売り業１に返信する。なお、警備会社５は、特殊景品交換所３から緊急連絡があった場合、急ぎ現場に駆付け、容疑者を確保し、関係者（卸売り業１、遊技場２、警察６など）と協力して問題を解決する。容疑が確定したらなら、容疑者を警察に引き渡す。
【００３１】
以上説明のように本発明によれば、卸売り業１は、特殊景品のトータル管理（遊技場毎の販売実績や買取り実績）を実現でき、また、還流（景品交換所から購入）して来た商品に対して、他社商品の混入を防止することができる。更に、商品管理を行っているため、盗難や紛失の連絡を受けた場合、直ちに換金不能となり、また、不正使用者が現れた場合の対策を直ちに打つことができる。
【００３２】
また、遊技場では、ＩＣタグ付き特殊景品の納品チェックがスムーズに出来、また、店内景品交換所では、間違い無くスピーディに特殊景品の交換が可能になる。従って、顧客に待たせることが無くなり、サービス向上に貢献する。また、在庫管理が木目細かに出来、発注処理についても一部人間が介在した半自動化が可能になる。更に、店内で盗難に遭い、紛失に気が付いた時、問題解決にスムーズに取り組める。
最後に、買取り業（特殊景品交換所）は、換金可否判断の後に換金が出来るため、損失が無くなり、ＩＣタグに記録された商品名を読み取って換金するため間違いが生じない。換金不可と判断された場合、特殊景品管理システムは、警備会社、あるいは警察に自動で連絡する他に、密かに容疑者のビデオ撮影を開始する（証拠物件）ため、防犯対策に役立つ。この場合、警備会社は、景品交換所からこの緊急の連絡があった場合、急ぎ現場に駆付け、容疑者を確保し、証拠（ビデオ）に基づき関係者（卸売り業１、警察６など）と協力して問題を解決する確率が高くなる。
【００３３】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３４】
【図１】本発明の特殊景品管理方法を実現するビジネスモデル、ならびにその利用主体間の物の流れを説明するために引用した図である。
【図２】特殊景品に貼付されるＩＣタグのデータ構造を説明するために引用した図である。
【図３】本発明の特殊景品管理システムの構成を機能展開して示したブロック図である。
【図４】本発明の特殊景品管理システムの動作を説明するために引用したシーケンス図である。
【図５】遊技場内での特殊景品交換の流れを示す図である。
【図６】遊技場でのＩＣタグ付き特殊景品の発注管理の流れを示す図である。
【図７】遊技場に設置された特殊景品管理システムの構成例を示す図である。
【図８】遊技場でのＩＣタグ付き特殊景品の在庫管理の流れを示す図である。
【図９】本発明の特殊景品管理システムの応用例を示す図である。
【図１０】本発明の特殊景品管理システムの応用例を示す図である。
【図１１】三店によって運営される従来の特殊景品の流れを示す図である。
【図１２】三店によって構築される従来の特殊景品管理システムを説明するために引用した図である。
【符号の説明】
【００３５】
１……卸売り業（景品問屋）、２……遊技場（ホール）、３……特殊景品交換所（買取り業）、４……顧客、５……警備会社、６……警察、１０……ＩＣタグＲ／Ｗ、３０……ＩＣタグ、３１……情報記録部、３２……特殊景品管理部、３３……商品在庫ＤＢ、３４……暗号処理部、３００……特殊景品管理システム
【図１】
2005087475.tif 000003
【図２】
2005087475.tif 000004
【図３】
2005087475.tif 000005
【図４】
2005087475.tif 000006
【図５】
2005087475.tif 000007
【図６】
2005087475.tif 000008
【図７】
2005087475.tif 000009
【図８】
2005087475.tif 000010
【図９】
2005087475.tif 000011
【図１０】
2005087475.tif 000012
【図１１】
2005087475.tif 000013
【図１２】
2005087475.tif 000014